(57)【要約】【課題】異形の記録媒体とディスク形の記録媒体とを判別して異形の記録媒体が機器本体に挿入される前にこの異形の記録媒体を機器本体内から排出できる記録媒体再生装置を提供する。【解決手段】ＣＤプレーヤ１は機器本体５と搬送ユニット６と一対の位置規制部材２２と検出・判別ユニット７を備えている。検出・判別ユニット７は複数の検出センサ１１とＣＰＵ１４などを備えている。検出センサ１１は一対の位置規制部材２２間の中央を通る中心線Ｐに長径Ａが重なる楕円Ｅ上に配されている。検出センサ１１間の間隔はカード形ＣＤの短辺より長く小径ＣＤの外径より短い。ＣＰＵ１４は複数の検出センサ１１が同時にＣＤを検出すると搬送ユニット６にＣＤを機器本体５内に収容させ複数の検出センサ１１が同時にＣＤを検出しないと搬送ユニット６にＣＤを機器本体５内に排出させる。【選択図】図６
2005285255.tif 000002
【特許請求の範囲】
【請求項１】
ディスク形の記録媒体を機器本体に収容し、このディスク形の記録媒体と外形の異なる異形の記録媒体を機器本体内に収容することを阻止して、ディスク形の記録媒体に記録された情報を読み出す記録媒体再生装置において、
記録媒体を前記機器本体の挿入口を通して出し入れする搬送手段と、
前記挿入口の略中央を通りかつ前記記録媒体の搬送方向に沿う中心線に長径が重なる楕円上に配置されているとともに、前記搬送手段により搬送されている記録媒体を検出する複数の検出手段と、
全ての検出手段が搬送手段により搬送されている記録媒体を同時に検出すると前記搬送手段に前記記録媒体を機器本体内に収容させ、かつ全ての検出手段が搬送手段により搬送されている記録媒体を同時に検出しないと前記搬送手段に前記記録媒体を機器本体内から排出させる制御手段と、
を備えたことを特徴とする記録媒体再生装置。
【請求項２】
複数の検出手段のうち互いの間に前記中心線を位置付ける検出手段間の間隔は、前記異形の記録媒体の短辺より長く、前記ディスク形の記録媒体の外径より短いことを特徴とする請求項１記載の記録媒体再生装置。
【請求項３】
前記中心線上の前記挿入口寄りと前記挿入口から離れた位置との双方に前記検出手段を設けたことを特徴とする請求項１又は請求項２記載の記録媒体再生装置。
【請求項４】
前記搬送手段が機器本体内に搬送する記録媒体を、前記挿入口の略中央に案内する位置規制部材を備えたことを特徴とする請求項１乃至請求項３のうちいずれかに記載の記録媒体再生装置。
【請求項５】
挿入口を通して機器本体に出し入れされる記録媒体がディスク形であるか否かを判別する記録媒体再生装置の記録媒体の判別方法において、
前記挿入口の略中央を通りかつ前記記録媒体の搬送方向に沿う中心線に長径が重なる楕円上に前記記録媒体を検出する複数の検出手段を配置し、
全ての検出手段が記録媒体を同時に検出するとこの記録媒体をディスク形の記録媒体と判別し、かつ全ての検出手段が記録媒体を同時に検出しないとこの記録媒体をディスク形とは異なる形状の記録媒体と判別することを特徴とする記録媒体再生装置の記録媒体の判別方法。
【発明の詳細な説明】
【技術分野】
【０００１】
本発明は、自動車などに搭載される記録媒体再生装置に関し、更に詳しくは、例えば、外径が１２ｃｍ又は８ｃｍのCompact Diskなどのディスク形の記録媒体から情報を読み出す記録媒体再生装置と、この記録媒体再生装置の記録媒体の判別方法に関する。
【背景技術】
【０００２】
コンパクトディスク（以下、ＣＤと記す）などの記録媒体を収容し、この記録媒体から情報を読み出す記録媒体再生装置が用いられている（例えば、特許文献１，２，３，４参照）。この種の記録媒体再生装置は、例えば、自動車などに搭載されるとともに、機器本体と、搬送ユニットと、再生ユニットとを備えている。
【０００３】
機器本体は、扁平な箱状に形成されている。機器本体には、前述した記録媒体を出し入れする挿入口が設けられている。搬送ユニットは、前記挿入口を通して、記録媒体を機器本体内に出し入れする。再生ユニットは、搬送ユニットにより機器本体内に収容された記録媒体の情報を読み出す。
【０００４】
前述した構成の記録媒体再生装置は、例えば、外径が１２ｃｍの大径ディスク形の記録媒体又は外径が８ｃｍの小径ディスク形の記録媒体が挿入されて、これらのディスク形の記録媒体の情報を読み出す。
【特許文献１】特開平１１−１７６０６９号公報
【特許文献２】特開２００２−４２３９９号公報
【特許文献３】特開２００３−３３８１１２号公報
【特許文献４】特開２００２−３１３００７号公報
【発明の開示】
【発明が解決しようとする課題】
【０００５】
近年、記録媒体として、前述した大径ディスク形の記録媒体と小径ディスク形の記録媒体との他に、例えば、平面形状が矩形状のカード形記録媒体や、平面形状が小判形（樽形ともいう）のカード形記録媒体などの異形の記録媒体が用いられるようになってきた。なお、小判形のカード形記録媒体は、円板状のディスク形の記録媒体の両端が切り落とされた格好になっている。
【０００６】
前述した記録媒体再生装置は、異形の記録媒体が機器本体に挿入されてしまうが、挿入された異形の記録媒体を位置決めすることができずに、該異形の記録媒体から情報を読み出すことができない。また、前述した記録媒体再生装置は、異形の記録媒体を機器本体内から排出することも困難となる。したがって、記録媒体再生装置は、平面形状が円板状とは異なる形状の異形の記録媒体と、平面形状が円板状のディスク形の記録媒体とを判別することが望まれているとともに、異形ディスクが機器本体に挿入される前にこの異形ディスクを機器本体内から排出できることが望まれている。
【０００７】
本発明の目的は、例えば、異形の記録媒体と平面形状が円板状のディスク形の記録媒体とを判別して、異形の記録媒体が機器本体に挿入される前にこの異形の記録媒体を機器本体内から排出できる記録媒体再生装置と、異形の記録媒体と平面形状が円板状のディスク形の記録媒体とを判別できる記録媒体再生装置の記録媒体の判別方法を提供することにある。
【課題を解決するための手段】
【０００８】
前記課題を解決し目的を達成するために、請求項１に記載の本発明の記録媒体再生装置は、ディスク形の記録媒体を機器本体に収容し、このディスク形の記録媒体と外形の異なる異形の記録媒体を機器本体内に収容することを阻止して、ディスク形の記録媒体に記録された情報を読み出す記録媒体再生装置において、記録媒体を前記機器本体の挿入口を通して出し入れする搬送手段と、前記挿入口の略中央を通りかつ前記記録媒体の搬送方向に沿う中心線に長径が重なる楕円上に配置されているとともに、前記搬送手段により搬送されている記録媒体を検出する複数の検出手段と、全ての検出手段が搬送手段により搬送されている記録媒体を同時に検出すると前記搬送手段に前記記録媒体を機器本体内に収容させ、かつ全ての検出手段が搬送手段により搬送されている記録媒体を同時に検出しないと前記搬送手段に前記記録媒体を機器本体内から排出させる制御手段と、を備えたことを特徴としている。
【０００９】
請求項５に記載の本発明の記録媒体再生装置の記録媒体の判別方法は、挿入口を通して機器本体に出し入れされる記録媒体がディスク形であるか否かを判定する記録媒体再生装置の記録媒体の判別方法において、前記挿入口の略中央を通りかつ前記記録媒体の搬送方向に沿う中心線に長径が重なる楕円上に前記記録媒体を検出する複数の検出手段を配置し、全ての検出手段が記録媒体を同時に検出するとこの記録媒体をディスク形の記録媒体と判別し、かつ全ての検出手段が記録媒体を同時に検出しないとこの記録媒体をディスク形とは異なる形状の記録媒体と判別することを特徴としている。
【発明を実施するための最良の形態】
【００１０】
以下、本発明の一実施形態にかかる記録媒体再生装置を説明する。本発明の一実施形態にかかる記録媒体再生装置は、複数の検出手段を中心線に長径が重なる楕円上に配置し、全ての検出手段が同時に記録媒体を検出するとこの記録媒体を収容し、全ての検出手段が同時に記録媒体を検出しないとこの記録媒体を排出する。こうすることで、ディスク形の記録媒体を確実に機器本体に収容することを可能とし、異形の記録媒体を機器本体内から確実に排出できるようにしている。則ち、異形の記録媒体を機器本体内に収容できないようにしている。
【００１１】
また、本発明は、互いの間に中心線を位置付けた検出手段間の間隔を異形の記録媒体の短辺より長くし、ディスク形の記録媒体の外径より短くても良い。
【００１２】
さらに、本発明は、中心線上に検出手段を設けても良い。
【００１３】
また、本発明は、搬送する記録媒体を挿入口の略中央に案内する位置規制部材を設けても良い。
【００１４】
さらに、本発明では、中心線に長径が重なる楕円上に配置した複数の検出手段が同時に記録媒体を検出するか否かで、記録媒体がディスク形であるか否かを判別する。こうすることで、記録媒体がディスク形の記録媒体であるか否かを確実に判別可能にしている。
【実施例】
【００１５】
以下、本発明の一実施例にかかる記録媒体再生装置の一例としてのＣＤプレーヤ１を、図１乃至図１３に基づいて説明する。図１などに示すＣＤプレーヤ１は、例えば、移動体としての自動車のインストルメントパネル（以下、インパネと呼ぶ）に装着される。ＣＤプレーヤ１は、図２に示す大径のディスク形の記録媒体としての大径ＣＤ２と、図３に示す小径のディスク形の記録媒体としての小径ＣＤ３とが選択的に後述の機器本体５内に挿入される。ＣＤプレーヤ１は、これらＣＤ２，３に記録された情報を読み出して、音声として出力する。
【００１６】
ＣＤ２，３は、勿論、薄手の円板状即ちディスク状に形成されており、コンピュータなどの電子機器で読みとることのできる情報を記録したディスク形の記録媒体である。大径ＣＤ２の外径Ｒと小径ＣＤ３の外径ｒとは、互いに異なり、勿論大径ＣＤ２の外径Ｒは小径ＣＤ３の外径ｒより大きい。本実施例では、大径ＣＤ２の外径Ｒは、１２０ｍｍ（１２ｃｍ）であり、小径ＣＤ３の外径ｒは、８０ｍｍ（８ｃｍ）である。
【００１７】
また、ＣＤプレーヤ１は、図４に示す異形の記録媒体としてのカード形ＣＤ４を後述の機器本体５内に収容することを阻止する。図４に示すカード形ＣＤ４は、平面形状が矩形状に形成されている。カード形ＣＤ４の短辺の長さＢは、前述した小径ＣＤ３の外径ｒより短い。なお、短辺とは、カード形ＣＤ４の外縁のうち最も短い辺である。本明細書に記した異形の記録媒体とは、平面形状が円板状とは異なる形状の記録媒体全てを示している。
【００１８】
ＣＤプレーヤ１は、図６に示すように、機器本体５（図１に示す）と、搬送手段としての搬送ユニット６と、位置規制ユニット１０と、再生手段としての図示しない再生ユニットと、検出・判別手段としての検出・判別ユニット７と、を備えている。なお、以下、図１中の矢印ＸをＣＤプレーヤ１の幅方向と記し、矢印ＹをＣＤプレーヤ１の奥行き方向と記し、矢印ＺをＣＤプレーヤ１の厚み方向と記す。
【００１９】
機器本体５は、図１に示すように、略平坦な底壁１５（図６などに示す）と、この底壁１５と間隔をあけて相対する略平坦な天井壁１６と、前記底壁１５と天井壁１６とに連なる複数の周壁１７と、を備えて、扁平な箱状に形成されている。機器本体５の一つの周壁１７には、ＣＤ２，３を機器本体５内に出し入れする挿入口８が設けられている。挿入口８は、勿論、機器本体５の内外を連通している。また、機器本体５には、ＣＤプレーヤ１の各種の操作を行うための図示しない操作スイッチや、ＣＤプレーヤ１の駆動状況などを表示するＬＣＤ（Liquid Crystal Display）などを備えた図示しない表示パネルが設けられている。
【００２０】
搬送ユニット６は、図２に示すように、駆動源としてのモータ９と、ローラ２０とを備えている。モータ９は、機器本体５内に収容されており、この機器本体５に取り付けられている。
【００２１】
ローラ２０は、挿入口８の近傍に配され、機器本体５などに軸芯周りに回転自在に支持されている。ローラ２０の軸芯即ち長手方向は、ＣＤプレーヤ１の幅方向Ｘ則ち挿入口８の長手方向に沿っている。ローラ２０は、外周面に挿入口８内を通されるＣＤ２，３，４が接触する。ローラ２０は、モータ９により、軸芯周りに回転される。ローラ２０の外周面にＣＤ２が接触し、ローラ２０がモータ９により回転駆動されることで、搬送ユニット６は、挿入口８内にＣＤ２，３，４を通して、該ＣＤ２，３，４を機器本体５に出し入れする。こうして、搬送ユニット６は、機器本体５内にＣＤ２，３，４を導く。搬送ユニット６は、ローラ２０の軸芯に対し直交（交差）する矢印Ｋに沿って、ＣＤ２，３，４を搬送する。この矢印Ｋは、本明細書に記したＣＤ２，３，４則ち記録媒体の搬送方向をなしている。
【００２２】
位置規制ユニット１０は、図８乃至図１０に示すように、リンクガイド孔２１と、一対の位置規制部材２２と、リンク２３と、を備えている。リンクガイド孔２１は、機器本体５の底壁１５を貫通している。リンクガイド孔２１は、挿入口８の近傍でかつ機器本体５の幅方向Ｘの中央に設けられている。リンクガイド孔２１は、直線部２５と、円弧部２６と、を備えている。
【００２３】
直線部２５は、前記ＣＤ２，３の搬送方向Ｋに沿って略直線状である。円弧部２６は、直線部２５の長手方向の中央に設けられている。円弧部２６は、直線部２５の機器本体５の幅方向Ｘに沿った幅を拡大するように、直線部２５の内縁から凹に形成されている。円弧部２６は、平面形状が略円弧状である。
【００２４】
一対の位置規制部材２２は、それぞれ、挿入口８の近傍に配されている。一対の位置規制部材２２は、機器本体５の幅方向Ｘに沿って、互いに間隔をあけて配されている。一対の位置規制部材２２は、互いの間にリンクガイド孔２１を位置させている。
【００２５】
一対の位置規制部材２２は、それぞれ、帯状のアーム本体２７と、突出ピン２８と、を備えている。一対の位置規制部材２２のアーム本体２７は、両端部２７ａ，２７ｂが互いに近づいたり離れたり（接離）するように、回転自在に機器本体５の底壁１５に支持されている。アーム本体２７の一端部２７ａは、他端部２７ｂより前記挿入口８寄りに配されている。アーム本体２７は、図８に示す長手方向が前記搬送方向Ｋに沿う初期位置と、この初期位置から一端部２７ａが互いに離れた図１０に示す解除位置とに亘って、変位可能に底壁１５に回転自在に支持されている。
【００２６】
突出ピン２８は、アーム本体２７の一端部２７ａから天井壁１６即ち挿入口８の内側に向かって突出している。
【００２７】
リンク２３は、一対のリンクアーム３０と、これらのリンクアーム３０を互いに連結する連結ピン３１と、を備えている。リンクアーム３０は、それぞれ、一端部が位置規制部材２２のアーム本体２７の他端部２７ｂと、回転自在に連結している。連結ピン３１は、円柱状に形成されている。連結ピン３１は、一対のリンクアーム３０の他端部を相互に回転自在に連結しているとともに、リンクガイド孔２１内に侵入している。連結ピン３１の外径は、リンクガイド孔２１の直線部２５の幅より若干小さい。また、リンク２３は、図示しないコイルばねなどの付勢手段によって、位置規制部材２２が前述した初期位置に位置するように付勢されている。
【００２８】
前述した構成によって、リンク２３は、一端部２７ａが互いに離れる際には他端部２７ｂが互いに近づき、一端部２７ａが互いに近づく際には他端部２７ｂが互いに離れるように、アーム本体２７を同期させて回転させる。こうして、リンク２３は、アーム本体２７を同期させて回転させて、一対の位置規制部材２２を前記初期位置と解除位置とに亘って変位させる。
【００２９】
また、一対の位置規制部材２２のうちいずれかの位置規制部材２２の突出ピン２８が他方の位置規制部材２２の突出ピン２８から離れる方向に押されると、リンク２３の連結ピン３１が円弧部２６内に侵入する。そして、リンク２３は、図９に示すように、連結ピン３１が円弧部２６内に侵入した状態から、一対の位置規制部材２２の突出ピン２８が互いに離れることを防止する。すなわち、リンク２３は、連結ピン３１が円弧部２６内に侵入した状態からアーム本体２７の回転を規制する。
【００３０】
さらに、一対の位置規制部材２２の双方の突出ピン２８が互いに離れる方向に押されると、図１０に示すように、連結ピン３１が円弧部２６内に侵入することなく直線部２５内を移動する。こうして、リンク２３は、いずれかの位置規制部材２２の突出ピン２８が他方の位置規制部材２２の突出ピン２８から離れる方向に押された場合には、連結ピン３１が円弧部２６内に侵入した状態からアーム本体２７が回転することを規制する。そして、リンク２３は、双方の突出ピン２８が互いに離れる方向に押された場合には、位置規制部材２２のアーム本体２７が前記初期位置から解除位置に向かって変位することを許容する。
【００３１】
また、連結ピン３１が円弧部２６内に侵入した状態では、双方の突出ピン２８に大径ＣＤ２が接触可能である。連結ピン３１が円弧部２６内に侵入した状態では、小径ＣＤ３は、図９に示すように、いずれか一方の突出ピン２８にしか接触できなく、双方の突出ピン２８に同時に接触できない。
【００３２】
前述した構成の位置規制ユニット１０は、大径ＣＤ２を機器本体５に出し入れする際には、一対の位置規制部材２２双方の突出ピン２８に前記大径ＣＤ２が接触する。そして、位置規制ユニット１０は、図１０に示すように、位置規制部材２２が解除位置まで変位して、大径ＣＤ２を機器本体５に出し入れする。
【００３３】
また、位置規制ユニット１０は、小径ＣＤ３を機器本体５に出し入れする際には、一対の位置規制部材２２のうちいずれか一方の突出ピン２８のみに前記小径ＣＤ３が接触することがある。そして、位置規制ユニット１０は、連結ピン３１が円弧部２６内に侵入して、位置規制部材２２が解除位置まで変位することが規制されて、小径ＣＤ３を機器本体５に出し入れする。
【００３４】
さらに、前述した位置規制ユニット１０は、リンク２３が前述したように付勢されているので、ＣＤ２，３の搬送中でも一対の突出ピン２８がＣＤ２，３の外縁をこれらのＣＤ２，３の外側から内側に向かって押圧する。こうして、位置規制ユニット１０は、ＣＤ２，３を機器本体５の中央に向かって押圧する。このため、位置規制ユニット１０は、機器本体５内に搬送ユニット６が搬送するＣＤ２，３を機器本体５の幅方向Ｘの中央則ち挿入口８の幅方向Ｘの略中央に案内する。なお、本明細書では、挿入口８の幅方向Ｘの中央と略中央とを併せて、挿入口８の略中央と記す。
【００３５】
また、位置規制ユニット１０は、ＣＤ２，３を機器本体５に出し入れする際には、ＣＤ２，３が突出ピン２８に接触し、解除位置に変位を開始する時、アーム本体２７の回転を利用し、アーム本体２７の近傍に配置されたスイッチ（図示せず）をＯＮ又はＯＦＦすることで、ＣＤ２，３の挿入を検知することができるようにしても良い。
【００３６】
再生ユニットは、機器本体５内に収容されているとともに、回動自在なＤＩＳＣ検知アーム１８（図１１に示す）を備えている。ＤＩＳＣ検知アーム１８は、挿入口８を通して機器本体５内に挿入されたＣＤ２，３などが当接して、回動する。再生ユニットは、機器本体５内に挿入された大径ＣＤ２と小径ＣＤ３が検出・判別ユニット７の複数の検出センサ１１より機器本体５の奥に配置されたＤＩＳＣ検知アーム１８を押すことによりＣＤ２，３の挿入を検知してクランプ動作を開始する。その後、これらＣＤ２，３の位置決めして、これらのＣＤ２，３のクランプ動作を完了する。そして、これらのＣＤ２，３を回転するとともに、これらのＣＤ２，３の所定の位置の情報記録面の情報を読み出して、音声情報として出力する。
【００３７】
検出・判別ユニット７は、図６に示すように、複数の検出手段としての検出センサ１１と、検出センサ１２と、記憶手段としてのＲＯＭ１３と、制御手段としてのＣＰＵ１４を備えている。
【００３８】
複数の検出センサ１１は、機器本体５則ちＣＤプレーヤ１の平面視において、図１１中に点線で示す楕円Ｅ上に配置されている。この楕円Ｅの長径Ａは、図１１に示すように、一対の位置規制部材２２の突出ピン２８間の中央（則ち挿入口８の幅方向Ｘの略中央）を通りかつ前記矢印Ｋと平行な（に沿った）中心線Ｐ（図６中などに一点鎖線で示す）に、重なっている。また、楕円Ｅの端は挿入口８に位置している。
【００３９】
また、検出センサ１２は、楕円Ｅより挿入口８から離れた位置則ち機器本体５の奥でかつ、ＤＩＳＣ検知アーム１８の前方（則ち挿入口８寄り）に配置されている。
【００４０】
また、複数の検出センサ１１のうち二つの検出センサ１１は、前記長径Ａ則ち中心線Ｐ上に配されている。これら二つの検出センサ１１のうち一方は、中心線Ｐ上の挿入口８寄りの位置に設けられ、他方は、挿入口８から離れた位置に設けられている。さらに、前記中心線Ｐ則ち長径Ａを挟んで、機器本体５の幅方向Ｘの一方側に検出センサ１１が三つ設けられ、他方側に三つ設けられている。これら三つの検出センサ１１は、機器本体５の奥行き方向Ｙ則ち矢印Ｋに沿って、間隔をあけて配されている。
【００４１】
また、複数の検出センサ１１のうち前記中心線Ｐ則ち長径Ａを互いの間に位置付ける検出センサ１１間の間隔Ｄ１，Ｄ２，Ｄ３（図１１に示す）は、異形の記録媒体としてのカード形ＣＤ４の短辺の長さＢ（図４に示す）より長く、ＣＤ２，３の外径Ｒ，ｒ（図２及び図３に示す）より短い。各検出センサ１１，１２は、例えば、発光素子としての周知のＬＤ（Laser Diode）と、受光素子としての周知のＰＤ（Photodiode）などを備えている。これらのＬＤとＰＤとは、機器本体５の厚み方向Ｚに沿って、互いに間隔をあけて配されている。さらに、これらＬＤとＰＤとは、挿入口８を通して搬送ユニット６により機器本体５に出し入れされるＣＤ２，３を互いの間に通すことが可能な位置に配されている。ＰＤは、制御手段としてのＣＰＵ１４に接続している。
【００４２】
ＬＤは、レーザ光を出射する。ＰＤは、ＬＤからのレーザ光を受光する。検出センサ１１は、機器本体５に出し入れされるＣＤ２，３，４によりＬＤからのレーザ光が遮られることで、機器本体５内にＣＤ２，３，４などの物体が挿入されたことを検出する。ＰＤ則ち検出センサ１１は、挿入口８内にＣＤ２，３，４などの物体が通されたこと則ち機器本体５内にＣＤ２，３，４などの物体が挿入されたことを示す情報を、制御手段としてのＣＰＵ１４などに向けて出力する。こうして、ＬＤからのレーザ光がＰＤに受光されるか否かで、検出センサ１１は、ＣＤ２，３，４を検出する。
【００４３】
前述したように配置された複数の検出センサ１１は、位置規制ユニット１０の一方の位置規制部材２２の突出ピン２８を最も機器本体５の幅方向Ｘの外側に押圧した状態（位置規制ユニット１０のリンク２３の連結ピン３１が円弧部２６内に侵入する状態）で、機器本体５に出し入れされる小径ＣＤ３（図１２中に一点鎖線及び二点鎖線で示す）がＬＤとＰＤとの間に同時に通る。そして、複数の検出センサ１１は、機器本体５内に出し入れされる小径ＣＤ３を同時に検出する位置に配されている。
【００４４】
また、複数の検出センサ１１は、勿論、機器本体５に出し入れされる大径ＣＤ２（図１２中に点線で示す）を同時に検出する位置に配されている。さらに、複数の検出センサ１１は、検出センサ１１間の間隔Ｄ１，Ｄ２，Ｄ３が短辺の長さＢより長く、ＣＤ２，３の外径Ｒ，ｒより短いので、機器本体５に出し入れされるカード形ＣＤ４（図１３中に一点鎖線及び二点鎖線で示す）を同時に検出できない位置に配されている。図１３中に一点鎖線及び二点鎖線で示す場合では、複数の検出センサ１１のうち二つの検出センサ１１がカード形ＣＤ４を検出できずに、残りの検出センサ１１がカード形ＣＤ４を検出する。
【００４５】
ＲＯＭ１３は、ＣＤプレーヤ１を動作されるためのプログラムなどを記憶している。ＲＯＭ１３は、ＣＰＵ１４を後述するように動作されるためのプログラムを記憶している。
【００４６】
ＣＰＵ１４は、ＲＯＭ１３に記憶されたプログラムにしたがって、以下に示すように動作する。ＣＰＵ１４は、複数の検出センサ１１のうち少なくとも一つの検出センサ１１から挿入口８内に物体が挿入されたことを示す情報が入力すると、若しくは、位置規制部材２２が解除方向に変位しスイッチのＯＮ又はＯＦＦの動作により物体が挿入されたことを検知すると、前記モータ９をローラ２０が機器本体５内に物体を挿入する方向に回転駆動する。そして、ＣＰＵ１４は、予め定められる所定時間内に、全ての検出センサ１１からの情報に基づいて、これら全ての検出センサ１１が同時にＣＤ２，３を検出したか否かを判定する。前記所定時間は、例えば、カード形ＣＤ４の長辺の長さをローラ２０による搬送速度で除して得られる値とするのが望ましい。要するに、前述した所定時間とは、ＣＤ２，３，４を機器本体５内に挿入してから（則ち、少なくとも一つの検出センサ１１がＣＤ２，３，４を検出してから）、これらのＣＤ２，３，４がローラ２０に接触しなくなるまでの時間であれば良い。
【００４７】
ＣＰＵ１４は、前述した所定時間内に全ての検出センサ１１がＣＤ２，３を同時に検出すると、前記ローラ２０をそのまま回転して、これらのＣＤ２，３を機器本体５内に収容する。則ち、搬送ユニット６にＣＤ２，３を機器本体５内に収容させる。また、ＣＰＵ１４は、前述した所定時間内に全ての検出センサ１１がＣＤ２，３，４を同時に検出しないと、若しくは全ての検出センサ１１が、ＣＤ２，３，４を同時に検出する前にＤＩＳＣ検知アーム１８の前方（挿入口８寄り）に配置された検出センサ１２が物体を検出すると、前記ローラ２０を逆向きに回転して、これらのＣＤ２，３，４を機器本体５外に排出する。則ち、搬送ユニット６にＣＤ２，３，４を機器本体５外に排出させる。
【００４８】
前述した構成のＣＤプレーヤ１は、機器本体５内にＣＤ２，３，４を出し入れしていない状態では、ローラ２０を停止している。ＣＤプレーヤ１は、機器本体５内にＣＤ２，３，４が挿入されると、まず、図７中のステップＳ１でＣＰＵ１４が少なくとも一つの検出センサ１１、または位置規制部材２２の変位によりスイッチをＯＮまたはＯＦＦすることで挿入口８内に前述したＣＤ２，３，４などの物体が侵入したか否かを判定する。ＣＰＵ１４は、挿入口８内に前述したＣＤ２，３，４などの物体が侵入していないと判定すると、ステップＳ１を繰り返し、挿入口８内に前述したＣＤ２，３，４などの物体が侵入したと判定すると、モータ９を駆動して、ローラ２０を前述したＣＤ２，３，４が機器本体５内に侵入する方向に回転して、ステップＳ２に進む。こうして、ステップＳ１では、挿入口８内にＣＤ２，３，４などが挿入されるまでローラ２０を停止し、挿入口８内にＣＤ２，３，４などが挿入されるとローラ２０を回転する。
【００４９】
ステップＳ２では、ＣＰＵ１４は、前述したＤＩＳＣ検知アーム１８の前方（挿入口８寄り）に配置された検出センサ１２が物体を検出する前、若しくは所定時間内に全ての検出センサ１１が同時にＣＤ２，３，４を検出したか否かを判定する。ステップＳ２で、ＣＰＵ１４は、ＤＩＳＣ検知アーム１８の前方（挿入口８寄り）に配置された検出センサ１２が物体を検出する前、若しくは所定時間内に全ての検出センサ１１が同時にＣＤ２，３，４を検出しなかったと判定すると、ステップＳ３に進み、所定時間内に全ての検出センサ１１が同時にＣＤ２，３，４を検出したと判定すると、ステップＳ４に進む。
【００５０】
ステップＳ４では、ＣＰＵ１４は、機器本体５内に大径ＣＤ２と小径ＣＤ３とのうちいずれかが挿入されたと判定する。
【００５１】
ステップＳ３では、ＣＰＵ１４は、機器本体５内にカード形ＣＤ４などの異形の記録媒体が挿入されていると判定して、モータ９を逆転駆動して、ローラ２０を機器本体５内に挿入されたカード形ＣＤ４を排出する方向に回転する。このように、本発明では、前記挿入口８の略中央を通りかつ前記矢印Ｋに沿う中心線Ｐに長径Ａが重なる楕円Ｅ上に複数の検出センサ１１を配置し、全ての検出センサ１１が同時に検出するとＣＤ２，３，４をディスク形の記録媒体としてのＣＤ２，３と判別し、かつ全ての検出センサ１１が同時に検出しないとＣＤ２，３，４をディスク形とは異なる形状の記録媒体としてのカード形ＣＤ４と判別している。
【００５２】
本実施例によれば、楕円上に配置された複数の検出センサ１１全てが同時にＣＤ２，３，４を検出すると、このＣＤ２，３，４を機器本体５に収容する。このため、ディスク形の大径及び小径ＣＤ２，３を機器本体５内に収容して、これらの大径及び小径ＣＤ２，３の情報を読み出すことができる。
【００５３】
また、全ての検出センサ１１が同時にＣＤ２，３，４を検出しないと、このＣＤ２，３，４を機器本体５外に排出する。このため、ディスク形の大径及び小径ＣＤ２，３と外形の異なる異形の記録媒体としてのカード形ＣＤ４を機器本体５内に収容することを確実に阻止でき、勿論、異形の記録媒体としてのカード形ＣＤ４が機器本体５内に収容される前に、この異形の記録媒体としてのカード形ＣＤ４を機器本体５外に排出できる。したがって、異形の記録媒体としてのカード形ＣＤ４が機器本体５内から排出できなくなることを防止できる。
【００５４】
中心線Ｐを互いの間に位置付ける検出センサ１１間の間隔Ｄ１，Ｄ２，Ｄ３が、異形の記録媒体としてのカード形ＣＤ４の短辺の長さＢより長くディスク形の記録媒体としての大径及び小径ＣＤ２，３の外径Ｒ，ｒより短い。このため、ディスク形の記録媒体としての大径及び小径ＣＤ２，３が機器本体５内に挿入されると、全ての検出センサ１１が同時に確実にこの種の大径及び小径ＣＤ２，３を検出できる。また、異形の記録媒体としてのカード形ＣＤ４が機器本体５内に挿入されると、全ての検出センサ１１が同時に検出することがない。したがって、異形の記録媒体としてのカード形ＣＤ４を確実に機器本体５外に排出でき、ディスク形の記録媒体としての大径及び小径ＣＤ２，３を確実に機器本体５内に収容できる。
【００５５】
中心線Ｐ則ち長径Ａ上に検出センサ１１を設けている。このため、大径及び小径ＣＤ２，３が機器本体５内に挿入されると、全ての検出センサ１１が同時に確実に検出できる。したがって、カード形ＣＤ４をより確実に機器本体５外に排出でき、大径及び小径ＣＤ２，３をより確実に機器本体５内に収容できる。
【００５６】
また、位置規制ユニット１０の位置規制部材２２がＣＤ２，３を挿入口８の略中央に案内するので、楕円Ｅ上に配置された検出センサ１１がディスク形のＣＤ２，３を確実に同時に検出できる。したがって、大径及び小径ＣＤ２，３をより確実に機器本体５内に収容できる。
【００５７】
さらに、楕円Ｅ上に複数の検出センサ１１を配置しているので、これら検出センサ１１全てが同時にＣＤ２，３，４を検出するか否かで、挿入口８を通して挿入されたＣＤ２，３，４がディスク形のＣＤ２，３であるか否かを確実に判別できる。
【００５８】
前述した実施例では、異形の記録媒体として、図４に示す平面形状が矩形状のカード形ＣＤ４を示している。しかしながら、本発明では、異形の記録媒体として、図５に示す平面形状が樽形（小判形）のカード形ＣＤ４ａを用いても良い。要するに、本発明では、円板状以外の形状の記録媒体を異形の記録媒体とする。
【００５９】
また、本発明では、挿入口８を通されて機器本体５に出し入れされるＣＤ２，３，４などを検出できるセンサあれば、検出手段として如何なるセンサを用いても良い。
【００６０】
さらに、本発明では、前述したステップＳ２において、複数の検出センサ１１のうち最も挿入口８から離れた則ち機器本体５の奥に位置する検出センサ１１がＣＤ２，３，４を検出した際に、他の全ての検出センサ１１が検出しているか否かで、全ての検出センサ１１が同時にＣＤ２，３，４を検出しているか否かを判定しても良い。
【００６１】
前述した実施例によれば、以下のＣＤプレーヤ１が得られる。
【００６２】
（付記１）  大径及び小径ＣＤ２，３を機器本体５に収容し、この大径及び小径ＣＤ２，３と外形の異なるカード形ＣＤ４，４ａを機器本体５内に収容することを阻止して、大径及び小径ＣＤ２，３に記録された情報を読み出すＣＤプレーヤ１において、
ＣＤ２，３，４，４ａを前記機器本体５の挿入口８を通して出し入れする搬送ユニット６と、
前記挿入口８の略中央を通りかつ前記ＣＤ２，３，４，４ａの搬送方向Ｋに沿う中心線Ｐに長径Ａが重なる楕円Ｅ上に配置されているとともに、前記搬送ユニット６により搬送されているＣＤ２，３，４，４ａを検出する複数の検出センサ１１と、
全ての検出センサ１１が搬送ユニット６により搬送されているＣＤ２，３，４，４ａを同時に検出すると前記搬送ユニット６に前記ＣＤ２，３，４，４ａを機器本体５内に収容させ、かつ全ての検出センサ１１が搬送ユニット６により搬送されているＣＤ２，３，４，４ａを同時に検出しないと前記搬送ユニット６に前記ＣＤ２，３，４，４ａを機器本体５内から排出させるＣＰＵ１４と、
を備えたことを特徴とするＣＤプレーヤ１。
【００６３】
（付記２）  複数の検出センサ１１のうち互いの間に前記中心線Ｐを位置付ける検出センサ１１間の間隔Ｄ１，Ｄ２，Ｄ３は、前記カード形ＣＤ４，４ａの短辺より長く、前記大径及び小径２，３の外径Ｒ，ｒより短いことを特徴とする付記１記載のＣＤプレーヤ１。
【００６４】
（付記３）  前記中心線Ｐ上の前記挿入口８寄りと前記挿入口８から離れた位置との双方に前記検出センサ１１を設けたことを特徴とする付記１又は付記２記載のＣＤプレーヤ１。
【００６５】
（付記４）  前記搬送ユニット６が機器本体５内に搬送するＣＤ２，３，４，４ａを前記挿入口８の略中央に案内する一対の位置規制部材２２を備えたことを特徴とする付記１乃至付記３のうちいずれかに記載のＣＤプレーヤ１。
【００６６】
（付記５）  挿入口８を通して機器本体５に出し入れされるＣＤ２，３，４，４ａがディスク形であるか否かを判別するＣＤプレーヤ１のＣＤの判別方法において、
前記挿入口８の略中央を通りかつ矢印Ｋに沿う中心線Ｐに長径Ａが重なる楕円Ｅ上に前記ＣＤを検出する複数の検出センサ１１を配置し、
全ての検出センサ１１がＣＤを同時に検出するとこのＣＤをディスク形のＣＤ２，３と判別し、かつ全ての検出センサ１１がＣＤを同時に検出しないとこのＣＤをディスク形とは異なる形状のカード形ＣＤ４，４ａと判別することを特徴とするＣＤプレーヤのＣＤの判別方法。
【００６７】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６８】
【図１】本発明の一実施例にかかる記録媒体再生装置としてのＣＤプレーヤの外観を示す斜視図である。
【図２】図１に示されたＣＤプレーヤで情報が読み出される大径ディスク形の記録媒体としての大径ＣＤを示す平面図である。
【図３】図１に示されたＣＤプレーヤで情報が読み出される小径ディスク形の記録媒体としての小径ＣＤを示す平面図である。
【図４】図１に示されたＣＤプレーヤの機器本体内に挿入されることを防止する異形の記録媒体としてのカード形ＣＤを示す平面図である。
【図５】図４に示されたカード形ＣＤの変形例を示す平面図である。
【図６】図１に示されたＣＤプレーヤの主要な構成を示す説明図である。
【図７】図６に示されたＣＤプレーヤがＣＤを判別する過程を示すフローチャートの一部である。
【図８】図１に示されたＣＤプレーヤのセンサリングユニットの構成を示す平面図である。
【図９】図８に示された位置規制ユニットで小径ＣＤが機器本体内に案内される状態を示す説明図である。
【図１０】図８に示された位置規制ユニットで大径ＣＤが機器本体内に案内される状態を示す説明図である。
【図１１】図６に示されたＣＤプレーヤの複数の検出センサの配置状況を示す平面図である。
【図１２】図１１に示された全ての検出センサが同時に小径ＣＤ及び大径ＣＤを検出する状態を示す平面図である。
【図１３】図１１に示された全ての検出センサが同時にカード形ＣＤを検出しない状態を示す平面図である。
【符号の説明】
【００６９】
１  ＣＤプレーヤ（記録媒体再生装置）
２  大径ＣＤ（ディスク形の記録媒体、記録媒体）
３  小径ＣＤ（ディスク形の記録媒体、記録媒体）
４，４ａ  カード形ＣＤ（異形の記録媒体、記録媒体）
５  機器本体
６  搬送ユニット（搬送手段）
８  挿入口
１１  検出センサ（検出手段）
１４  ＣＰＵ（制御手段）
２２  位置規制部材
Ａ  長径
Ｂ  短辺の長さ
Ｅ  楕円
Ｄ１，Ｄ２，Ｄ３  検出センサ間の間隔（検出手段間の間隔）
Ｒ，ｒ  外径（ディスク形の記録媒体の外径）
Ｋ  搬送方向
【図１】
2005285255.tif 000003
【図２】
2005285255.tif 000004
【図３】
2005285255.tif 000005
【図４】
2005285255.tif 000006
【図５】
2005285255.tif 000007
【図６】
2005285255.tif 000008
【図７】
2005285255.tif 000009
【図８】
2005285255.tif 000010
【図９】
2005285255.tif 000011
【図１０】
2005285255.tif 000012
【図１１】
2005285255.tif 000013
【図１２】
2005285255.tif 000014
【図１３】
2005285255.tif 000015